(57)【要約】【課題】受信状況に影響されずに、良好にコンテンツを再生することが可能な「コンテンツ再生装置及びコンテンツ再生方法」を提供すること。【解決手段】コンテンツ再生装置は、通信網又は放送網を介してコンテンツを取得するコンテンツ取得手段と、取得したコンテンツが蓄積される記憶手段と、蓄積されているコンテンツのうち、ダウンロードが完了しているコンテンツを再生リストに登録して登録されたコンテンツを繰り返し再生させる制御手段と、を有する。制御手段は、ダウンロードが完了しているコンテンツの再生中に新たなコンテンツをダウンロードし、新たなコンテンツのダウンロードが完了したときは、新たなコンテンツを再生リストに登録し、再生リストに登録されたコンテンツが複数存在するとき、各コンテンツを部分バーで示し、再生中のコンテンツの位置を再生位置マークで示す再生状況表示バーを作成して表示する。【選択図】図４
2011211286.tif 000002
【特許請求の範囲】
【請求項１】
通信網又は放送網を介してコンテンツを取得するコンテンツ取得手段と、
取得したコンテンツが蓄積される記憶手段と、
前記蓄積されているコンテンツのうち、ダウンロードが完了しているコンテンツを再生リストに登録して当該登録されたコンテンツを繰り返し再生させる制御手段と、
を有することを特徴とするコンテンツ再生装置。
【請求項２】
前記制御手段は、前記ダウンロードが完了しているコンテンツの再生中に新たなコンテンツをダウンロードし、当該新たなコンテンツのダウンロードが完了したときは、当該新たなコンテンツを前記再生リストに登録することを特徴とする請求項１に記載のコンテンツ再生装置。
【請求項３】
さらに、表示手段を備え、
前記制御手段は、前記再生リストに登録されたコンテンツが複数存在するとき、各コンテンツを部分バーで示し当該各部分バーを識別可能に連結させるとともに、再生中のコンテンツの位置を再生位置マークで示す再生状況表示バーを作成して前記表示手段の画面に表示させることを特徴とする請求項２に記載のコンテンツ再生装置。
【請求項４】
前記制御手段は、ダウンロード途中のコンテンツが存在するとき、前記再生リストに登録されたコンテンツと当該ダウンロード途中のコンテンツとを識別可能にした前記再生状況表示バーを作成して前記表示手段の画面に表示させることを特徴とする請求項３に記載のコンテンツ再生装置。
【請求項５】
前記制御手段は、前記再生リストに登録されたコンテンツとしてダウンロードが完了したコンテンツのうち所定の数のコンテンツを前記再生状況表示バーの部分バーとして作成することを特徴とする請求項４に記載のコンテンツ再生装置。
【請求項６】
前記制御手段は、前記再生状況表示バーに表示される各コンテンツを示す部分バーの長さの比率を、当該各コンテンツのデータの長さの比率に対応させて表示させることを特徴とする請求項５に記載のコンテンツ再生装置。
【請求項７】
通信網を介してコンテンツを取得するステップと、
前記取得したコンテンツを蓄積するステップと、
前記蓄積されたコンテンツのうちダウンロードが完了したコンテンツを抽出して再生リストに登録するステップと、
前記再生リストに登録されたコンテンツを繰り返し再生するステップと、
を有することを特徴とするコンテンツ再生方法。
【請求項８】
さらに、前記再生リストに登録されたコンテンツを部分バーで示し、再生中のコンテンツの位置を再生位置マークで示す再生状況表示バーを作成して表示手段の画面に表示するステップを有することを特徴とする請求項７に記載のコンテンツ再生方法。
【発明の詳細な説明】
【技術分野】
【０００１】
本発明は、通信網や放送網を介して受信した音楽等のコンテンツを再生するコンテンツ再生装置及びコンテンツ再生方法に関し、特に、車両等の移動体において好適なコンテンツ再生装置及びコンテンツ再生方法に関する。
【背景技術】
【０００２】
近年、車載用オーディオ装置に内蔵されるハードディスクの大容量化にともない、音楽などのコンテンツを大量に蓄積することができるようになってきている。さらに、ネットワーク回線の大容量化にともない、放送コンテンツでもリアルタイムに視聴可能なストリーム配信や、コンテンツをダウンロードしながら再生させるプログレッシブ視聴が行われるようになってきている。
【０００３】
例えば、特許文献１には、電子ファイルをサーバー側でセグメントに分割し、最初のセグメントが再生されているときに次のセグメントがダウンロードされるようにしてストリーミングする技術が記載されている。
【０００４】
また、特許文献２には、プログレッシブダウンロードにおいて、コンテンツの再生ビットレートの情報を取得し、受信ビットレートの情報と再生ビットレートの情報に基づいてコンテンツのダウンロード中の再生が可能かどうかを判定することが記載されている。
【先行技術文献】
【特許文献】
【０００５】
【特許文献１】特表２００３−５１０７３４号公報
【特許文献２】特開２００８−２７８０９０号公報
【発明の概要】
【発明が解決しようとする課題】
【０００６】
上記したように、コンテンツを蓄積すると同時に、リアルタイムにコンテンツを再生することができるようになっている。
【０００７】
しかし、アクセスが集中する人気番組ではその時間帯での配信性能が下がり、ビットレートが高い高品質なコンテンツのストリーム配信では、データの供給が所定のタイミングより遅れるおそれが高く、品質が劣化し滑らかな視聴が困難になる。
【０００８】
特に、車載用オーディオ装置の場合には、車両の移動に伴いコンテンツを受信するときの電波受信状況も変化する。そのため、受信状態が良好なときには支障なくダウンロードが行われてリアルタイムにコンテンツを再生することが可能であるが、受信状態が悪化すると、ダウンロードが中断するとともに、コンテンツの再生が停止してしまう。その後、受信状態が良好な状態に回復したときに、続けてコンテンツが再生されるが、楽曲の再生が断続的になるなど、ユーザにとって不快な状況が発生する。
【０００９】
本発明は、かかる従来技術の課題に鑑みなされたものであり、受信状況に影響されずに、良好にコンテンツを再生することが可能なコンテンツ再生装置及びコンテンツ再生方法を提供することを目的とする。
【課題を解決するための手段】
【００１０】
上述した従来技術の課題を解決するため、本発明の一形態によれば、通信網又は放送網を介してコンテンツを取得するコンテンツ取得手段と、取得したコンテンツが蓄積される記憶手段と、前記蓄積されているコンテンツのうち、ダウンロードが完了しているコンテンツを再生リストに登録して当該登録されたコンテンツを繰り返し再生させる制御手段と、を有することを特徴とするコンテンツ再生装置が提供される。
【００１１】
この形態に係るコンテンツ再生装置において、前記制御手段は、前記ダウンロードが完了しているコンテンツの再生中に新たなコンテンツをダウンロードし、当該新たなコンテンツのダウンロードが完了したときは、当該新たなコンテンツを前記再生リストに登録するようにしてもよく、さらに、表示手段を備え、前記制御手段は、前記再生リストに登録されたコンテンツが複数存在するとき、各コンテンツを部分バーで示し当該各部分バーを識別可能に連結させるとともに、再生中のコンテンツの位置を再生位置マークで示す再生状況表示バーを作成して前記表示手段の画面に表示させるようにしてもよく、前記制御手段は、ダウンロード途中のコンテンツが存在するとき、前記再生リストに登録されたコンテンツと当該ダウンロード途中のコンテンツとを識別可能にした前記再生状況表示バーを作成して前記表示手段の画面に表示させるようにしてもよい。
【００１２】
また、この形態に係るコンテンツ再生装置において、前記制御手段は、前記再生リストに登録されたコンテンツとしてダウンロードが完了したコンテンツのうち所定の数のコンテンツを前記再生状況表示バーの部分バーとして作成するようにしてもよく、前記制御手段は、前記再生状況表示バーに表示される各コンテンツを示す部分バーの長さの比率を、当該各コンテンツのデータの長さの比率に対応させて表示させるようにしてもよい。
【００１３】
また、本発明の他の形態によれば、通信網を介してコンテンツを取得するステップと、前記取得したコンテンツを蓄積するステップと、前記蓄積されたコンテンツのうちダウンロードが完了したコンテンツを抽出して再生リストに登録するステップと、前記再生リストに登録されたコンテンツを繰り返し再生するステップと、を有することを特徴とするコンテンツ再生方法が提供される。
【００１４】
この形態に係るコンテンツ再生方法において、さらに、前記再生リストに登録されたコンテンツを部分バーで示し、再生中のコンテンツの位置を再生位置マークで示す再生状況表示バーを作成して表示手段の画面に表示するステップを有するようにしてもよい。
【発明の効果】
【００１５】
本発明におけるコンテンツ再生装置及びコンテンツ再生方法では、インターネット等を介して取得した音楽等のコンテンツのうち、ダウンロードが完了しているコンテンツだけを繰り返し再生するようにしている。これにより、ダウンロードしながら再生する場合に受信状況の悪化により再生が途切れるなどのユーザにとって不快な状況を防止することが可能となる。
【図面の簡単な説明】
【００１６】
【図１】本発明の一実施形態に係るコンテンツ再生装置の構成を概略的に示すブロック図である。
【図２】図１のコンテンツ再生装置における再生状況表示バーの一例（その１）を示す図である。
【図３】図１のコンテンツ再生装置における再生状況表示バーの一例（その２）を示す図である。
【図４】コンテンツ再生処理の一例を示すフローチャートである。
【発明を実施するための形態】
【００１７】
以下、本発明の実施形態について、添付の図面を参照しながら説明する。
【００１８】
図１は、本発明の一実施形態に係るコンテンツ再生装置１０の構成を概略的に示したものである。このコンテンツ再生装置１０は、ネットワーク（不図示）を介して楽曲やビデオのデータが格納されているサーバー（不図示）と接続されている。
【００１９】
本実施形態に係るコンテンツ再生装置１０は、図１に示すように、受信部１１と、制御部１２と、記憶部１３と、表示部１４と、再生部１５と、スピーカ１６と、操作部１７と、送信部１８を備えている。
【００２０】
受信部１１は、ＴＣＰ／ＩＰ(Transmission Control Protocol/Internet Protocol)などの通信プログラムに基づいてデータ伝送を行うインターネット等の通信網や放送網を介して、サーバーや放送局から音楽や放送等のコンテンツを受信し、制御部１２に送出する。例えば、サーバーは、複数の音楽コンテンツを記憶し、コンテンツ再生装置１０からアーティスト名等の検索条件を受け取ると、該当するコンテンツを検索し、要求元のコンテンツ再生装置１０へ受信部１１を介して提供する。
【００２１】
記憶部１３は、その記憶媒体として、例えばＨＤＤ（ハードディスク）装置や光磁気ディスク装置、又はフラッシュメモリやＲＡＭ等の半導体メモリを使用し、受信部を介して取得した音楽や放送のデータが保存される。
【００２２】
表示部１４は、例えば、ＬＣＤ（液晶ディスプレイ）により構成された表示装置を備え、表示画面には、現在再生中の楽曲の情報が表示される。また、本実施形態に関連する情報として、記憶部１３に格納されたコンテンツ及び再生中のコンテンツを示す再生状況表示バーが表示される。
【００２３】
再生部１５は、記憶部１３に蓄積された音楽コンテンツのうち、制御部１２によって指定された楽曲を再生し、スピーカ１６に信号を供給する。
【００２４】
操作部１７は、ユーザが指示した情報を入力するためのものである。表示部１４の表示画面にタッチパネルが設けられているときは、そのタッチパネルは操作部１７として機能する。
【００２５】
送信部１８は、操作部１７を介してユーザから楽曲やビデオの視聴が要求されたとき、サーバーにコンテンツ要求を送信する。
【００２６】
制御部１２は、例えば、マイクロコンピュータ等により構成され、上記各部を制御する。すなわち、受信部１１で受信した音楽等のデータを書込部１９によって記憶部１３に蓄積し、記憶部１３に蓄積された音楽等のコンテンツをコンテンツ抽出部２０で抽出してコンテンツのダウンロード状況を判定する。さらに、再生する楽曲を決定して再生リスト作成部２１でコンテンツの識別情報を登録して再生リストを作成する。再生リストに登録されたコンテンツの識別情報を再生コンテンツ選択部２２で選択し、そのコンテンツの識別情報を再生部１５に出力し、再生部１５は、コンテンツの識別情報に対応するコンテンツデータを記憶部１３から抽出してスピーカ１６に出力する。また、再生リストの情報及び再生中のコンテンツの情報等を基に再生状況を示す画像を作成して表示部１４の画面に表示する。
【００２７】
このように構成されたコンテンツ再生装置１０において、コンテンツの出力を行うときに、ダウンロードが完了しているコンテンツを選択し、それらのコンテンツを繰り返し再生するようにしている。これにより、ダウンロードの途中で電波受信状況が悪化したために再生出力が途切れる等、ユーザに対して不快感を与えることを防止することが可能となる。
【００２８】
以下に、本実施形態に係るコンテンツ再生装置１０において行う、コンテンツ再生処理について図２から図４を参照しながら説明する。
【００２９】
図２及び図３は、コンテンツ再生装置１０においてコンテンツの再生が行われているときに表示される再生状況表示の一例である。図２及び図３に示す再生状況表示では、記憶部１３に格納された楽曲をバー（横棒）の形式で表示しており、以後、再生状況表示バーと呼ぶ。例えば、記憶部１３にダウンロードが完了した楽曲が３曲あれば、図２（ａ）に示すように再生状況表示バー３１に２本の区切り線（ＳＬ１，ＳＬ２）を表示し、ダウンロードの完了した楽曲が３曲（Ｍ１，Ｍ２，Ｍ３）格納されていることが分かるようになっている。また、再生位置マークＰＭによって、現在再生されている楽曲の位置（図２（ａ）では、楽曲Ｍ１）を示している。
【００３０】
本実施形態では、ダウンロードが完了した楽曲について繰り返し再生するようにしている。図２（ｂ）に示すように、再生位置マークＰＭが再生状況表示バー３１の終了位置ＥＰに到達して、３曲目の楽曲Ｍ３の再生が終了したときは、図２（ｃ）に示すように、再生位置マークＰＭを開始位置ＳＰに戻し、１曲目の楽曲Ｍ１の最初から再生を繰り返す。
【００３１】
この再生状況表示バー３１は、コンテンツの取得状況に応じてリアルタイムに変化する。図３は、ダウンロードが完了していないコンテンツが存在する場合の再生状況表示バー３１の一例を示している。
【００３２】
図３（ａ）は、図２に示したように３曲のダウンロードが完了した後も継続して４曲目のダウンロードが行われている状況を示している。図３（ａ）の楽曲Ｍ４はダウンロード途中であることを示すために、他のダウンロードが完了した楽曲Ｍ１から楽曲Ｍ３とは異なる態様で表示される。図３（ａ）では斜線で表示しているが、これに限らず、例えば色を変えるようにしてもよい。
【００３３】
このようなダウンロード途中の楽曲が存在する場合に、楽曲Ｍ３の再生が終了し、図３（ｂ）に示すように再生位置マークが楽曲Ｍ３のダウンロード完了楽曲の最終位置ＣＥＰにきたときには、楽曲Ｍ４の再生を行うことなく、楽曲Ｍ１に戻り、楽曲Ｍ１から楽曲Ｍ３までの再生を繰り返し実行する。
【００３４】
その後、図３（ｃ）に示すように、楽曲Ｍ４のダウンロードが完了すると、楽曲Ｍ３の再生の終了後は、楽曲Ｍ４の再生を行い、ダウンロードが完了した楽曲Ｍ１から楽曲Ｍ４までの再生を繰り返し実行する。
【００３５】
なお、再生状況表示バー３１に表示させる楽曲コンテンツの数は、予め定めた数だけ表示させるようにしてもよい。この場合、例えば再生リストに登録される最新の楽曲コンテンツから５曲目までとするようにしてもよい。
【００３６】
また、再生リストに登録する順番は、ダウンロードが完了した順に登録するようにしてもよく、所定の条件、例えば、楽曲のリリース日の順にソートして登録するようにしてもよい。
【００３７】
また、再生状況表示バー３１の楽曲バーには楽曲名やアーティスト名を表示するようにしてもよく、再生状況表示バー３１の楽曲バーを選択することにより、その楽曲に関するより詳細な情報、例えば、楽曲名やアーティスト名に加えてアルバム名やジャンル等を別画面に表示させるようにしてもよい。
【００３８】
また、再生状況表示バー３１の楽曲バーを選択することにより、その楽曲を再生するか否かのメニューを表示し、再生が指示されたときには、その楽曲から再生するようにしてもよい。
【００３９】
また、再生状況表示バー３１に表示させるコンテンツデータは、楽曲だけではなく、例えばニュース等の放送を表示するようにしてもよい。その場合には、楽曲とその他の放送とを識別可能に、例えば色を変えるなどによって区別するようにする。また、再生位置マークは楽曲コンテンツに対してだけ表示されるようにしてもよい。
【００４０】
また、図２及び図３では、バーの形式で再生状況を表示しているが、これに限らず、ダウンロードが完了しているコンテンツ、ダウンロード途中のコンテンツ、及び再生位置がわかるものであればよい。
【００４１】
次に、本実施形態に係るコンテンツ再生装置１０の制御部１２において行うコンテンツ再生処理について、図４のフローチャートを参照しながら説明する。なお、本処理は、ユーザによりコンテンツの再生指示がされてからコンテンツの再生停止の指示がされるまでの処理を示している。また、コンテンツ再生装置１０は、ネットワークを介して、コンテンツやコンテンツに関連する属性情報等のダウンロードを継続して実施しているものとする。また、ダウンロードされるコンテンツは、そのコンテンツを識別可能な識別情報と、コンテンツデータとが関連付けて記憶されるものとする。
【００４２】
まず、最初のステップＳ１１において、初期設定を行う。この初期設定では、再生リスト内のコンテンツ数をｍとし、何曲目のコンテンツを再生しているかを示すカウンタをｎとし、ｎ＝１と設定する。
【００４３】
次のステップＳ１２において、記憶部１３に蓄積されているコンテンツのうち、ダウンロードが完了しているコンテンツを抽出する。制御部１２のコンテンツ抽出部２０において記憶部１３からコンテンツを抽出し、ダウンロードが完了しているコンテンツを検出する。ダウンロードが完了しているか否かは、ダウンロードするデータの全体のサイズを取得し、ダウンロードが完了したデータのサイズと比較して判断するようにしてもよいし、ダウンロードが終了した旨の情報を取得して判定するようにしてもよい。
【００４４】
また、音楽コンテンツは属性情報としてＴＯＣ(Table Of Contents)を有しており、ＴＯＣ情報にはアルバム名やアーティスト名、アルバムに含まれる全楽曲の時間や、各楽曲の時間等の情報が含まれている。この楽曲の時間情報と書込み時間とを基にダウンロードが終了したか否かを判定するようにしてもよい。
【００４５】
次のステップＳ１３において、ステップＳ１２で抽出したコンテンツを再生リストに登録する。再生リストは再生されるコンテンツを示すものであり、制御部１２の再生リスト作成部２１において、ダウンロードが完了して再生されるコンテンツのコード（識別番号）等の識別情報を登録する。
【００４６】
また、再生リスト作成部２１で作成された再生リストに基づいて、再生の状況を示す再生状況表示バーを作成し、表示部１４の表示画面にその再生状況表示バーを表示する。再生状況表示バーは、再生リストに登録されている楽曲が何曲存在するかを示すものであり、再生リストの各楽曲の長さの比率に応じて各楽曲を再生状況表示バーで表すようにしている。また、再生中の楽曲の位置を示す再生位置マークを再生状況表示バーの開始位置に表示する。
【００４７】
次のステップＳ１４からステップＳ２１では、再生リストに登録されたコンテンツを繰り返し再生する処理が行われる。
【００４８】
ステップＳ１４において、制御部１２は再生リストのｎ番目のコンテンツを再生部１４に指示し、ｎ番目のコンテンツを再生させる。再生状況表示バーでは、ｎ番目のコンテンツの再生状況に応じて、ｎ番目のコンテンツを示す再生状況表示バーの楽曲部分バーの再生位置に再生位置マークを移動させて表示する。
【００４９】
次のステップＳ１５において、新たにダウンロードが完了したコンテンツがあるか否かを検出する。ダウンロードが完了したコンテンツがある場合にはステップＳ１６に移行し、ない場合にはステップＳ１８に移行する。制御部１２のコンテンツ抽出部２０において記憶部１３からコンテンツを抽出し、すでに再生リストに登録されているコンテンツ以外のコンテンツがダウンロード完了したか否かを検出して判断する。
【００５０】
次のステップＳ１６において、新たにダウンロードが完了したコンテンツを再生リストに追加登録する。
【００５１】
次のステップＳ１７において、再生リスト内のコンテンツ数ｍに１を加算する。
【００５２】
次のステップＳ１８において、再生リストのｍ番目のコンテンツの再生が終了したか否かを判定する。ｍ番目のコンテンツの再生が終了したときは、ステップＳ１９に移行し、ｍ番目のコンテンツの再生が終了していないときは、ステップＳ２０に移行する。
【００５３】
ｍ番目のコンテンツの再生が終了したとき、再生状況表示バーの再生位置マークは図２（ｂ）に示す最終位置ＥＰに表示される。
【００５４】
次のステップＳ１９において、再生するコンテンツのカウンタを１とし、ステップＳ１４に戻り１番目のコンテンツを再生する。再生リストのｍ番目のコンテンツはダウンロードが完了しているコンテンツの最後のコンテンツであるため、次にダウンロードが完了していないコンテンツを再生することなく、再生リストの最初のコンテンツに戻って再生を繰り返す。再生リストの最初のコンテンツに戻るとき、再生状況表示バーの再生位置マークは、図２（ｃ）に示す開始位置ＳＰに表示される。
【００５５】
一方、ステップＳ１５において、新たにダウンロードが完了したコンテンツがないと判定された場合には再生リストのコンテンツ数を加算することなくステップＳ１８に移行して再生リストの最後のコンテンツの再生が終了したか否かの判断が行われる。
【００５６】
ステップＳ１８において、再生リストの最後のコンテンツでない場合に移行するステップＳ２０では、再生リストのｎ番目のコンテンツの再生が終了したか否かを判定する。ｎ番目のコンテンツの再生が終了した場合はステップＳ２１に移行し、ｎ番目のコンテンツの再生が終了していない場合は、ステップＳ１４に移行し、ｎ番目のコンテンツの再生を継続する。
【００５７】
ｎ番目のコンテンツの再生が終了した場合は、ステップＳ２１において再生するコンテンツのカウンタｎに１加算して、ステップＳ１４に移行し、次のコンテンツの再生を行う。
【００５８】
上記ステップＳ１４からステップＳ２１の処理によって、ダウンロードが完了したコンテンツが登録される再生リストに従って、コンテンツが繰り返し再生される。
【００５９】
なお、上記処理において、コンテンツ視聴要求があったときに、コンテンツ再生装置は常にサーバーからコンテンツを受信するようにしているが、受信状態が良好なときにコンテンツを受信するようにしてもよい。例えば、放送を受信する場合には、受信電界強度やＢＥＲ等を検出し、良好に受信可能な所定の値になったときにコンテンツの受信を行うようにする。
【００６０】
以上説明したように、本実施形態におけるコンテンツ再生装置及びコンテンツ再生方法では、インターネット等を介して取得した音楽等のコンテンツのうち、ダウンロードが完了しているコンテンツだけを繰り返し再生するようにしている。これにより、ダウンロードしながら再生する場合に受信状況の悪化により再生が途切れるなどのユーザにとって不快な状況を防止することが可能となる。
【００６１】
また、記憶部に格納されたダウンロードが完了したコンテンツとダウンロード途中のコンテンツとを識別可能に表示するとともに、再生中のコンテンツの位置を示すようにしている。これにより、ダウンロードが完了していないコンテンツが存在することや、全体のコンテンツにおける再生中のコンテンツの位置の概略を容易に且つ安全に把握することが可能となる。
【００６２】
なお、上記実施形態ではコンテンツとして主に音楽コンテンツを対象として説明したが、これに限らず、放送コンテンツにも適用可能である。例えば、放送コンテンツが本編放送コンテンツやコマーシャル放送コンテンツの複数の部分コンテンツに分割された状態で受信して記憶部に格納したとき、各部分コンテンツのうち、ダウンロードが完了している部分コンテンツについて繰り返し再生するようにする。
【符号の説明】
【００６３】
１０…コンテンツ再生装置、
１１…受信部、
１２…制御部、
１３…記憶部、
１４…表示部、
１５…再生部、
１６…スピーカ、
１７…操作部、
１８…送信部、
１９…書込部、
２０…コンテンツ抽出部、
２１…再生リスト作成部、
２２…再生コンテンツ選択部、
３１…再生状況表示バー。
【図１】
2011211286.tif 000003
【図２】
2011211286.tif 000004
【図３】
2011211286.tif 000005
【図４】
2011211286.tif 000006